(57)【要約】  【課題】  外観にスライド用ガイドが現れないようにした多段式伸縮自在シャフトを構成する各パイプが自由に回転しないようにするとともにシャフトをスムーズに伸縮させることができるようにする。  【解決手段】  複数のパイプ４，６，８が入れ子式にスライド自在に嵌挿されている。複数のパイプの中、シャフトの最も内側のパイプ８を除いた各パイプ４，６の内径部に長手方向全長にわたって凹溝１０，１２が形成され、複数のパイプの中、シャフトの最も外側のパイプ４を除いた各パイプ６，８の後端部の外径部に凸条１４，１６が形成され、これらの凸条１４，１６が外側のパイプの内径部凹溝１０，１２に軸方向にスライド自在に嵌合し、外側と内側のパイプの相対回転が阻止されている。【選択図】  図１
2005237415.tif 000002
【特許請求の範囲】
【請求項１】
外観にスライド用ガイドが現れないようにした折り畳み式洋傘に用いられる複数のパイプから成る多段式の伸縮自在なシャフトであって、複数のパイプを入れ子式にスライド自在に嵌挿し、前記複数のパイプの中、前記シャフトの最も内側のパイプを除いた各パイプの内径部にその長手方向に沿ってほぼ全長にわたって凹溝を形成し、前記複数のパイプの中、前記シャフトの最も外側のパイプを除いた各パイプの後端部の外径部に凸条を設け、該各パイプの凸条を該各パイプの外側のパイプの内径部の凹溝に軸方向にスライド自在に嵌合させ、外側と内側のパイプの相対回転を阻止するようにしたことを特徴とする折り畳み式洋傘用伸縮自在シャフト。
【請求項２】
前記凹溝及びこれに嵌合する凸条の断面形状を円弧状にしたことを特徴とする請求項１に記載の折り畳み式洋傘用伸縮自在シャフト。
【請求項３】
前記凹溝をそれぞれパイプの円周方向に所定の間隔を存して複数本設けたことを特徴とする請求項１に記載の折り畳み式洋傘用伸縮自在シャフト。
【請求項４】
前記各パイプの外側から見える外周面を丸く形成したことを特徴とする請求項１に記載の折り畳み式洋傘用伸縮自在シャフト。
【発明の詳細な説明】
【技術分野】
【０００１】
本発明は、外観にスライド用ガイドが現れないようにした携帯用の折り畳み式洋傘に用いられる伸縮自在な多段式のシャフトに関する。
【背景技術】
【０００２】
従来の、外観にスライド用ガイドが現れないようにした折り畳み式洋傘に用いられる伸縮自在な多段式のシャフトは、シャフトを構成する各パイプの自由回転を防止するため、外側のパイプの各々の内径部に稜線を設け、内側のパイプの外周には、周囲段差と溝を設けている（例えば特許文献１参照）。
【特許文献１】特開２００１−３５３０１２号公報（２ページ、第５図）
【発明の開示】
【発明が解決しようとする課題】
【０００３】
パイプの内側に突起状の稜線を設け、内側のパイプの外周に周囲段差と溝を設ける構造は、高精度が要求される。稜線の精度に誤差があると、シャフトの伸縮方向のスライド動作をスムーズに行うことができなくなる。そのためシャフトの製造に精度が要求される分、製造コストが高くなるという問題点が生じる。
本発明はパイプのほぼ全長にわたって突起状の稜線を設けることなくスムーズに伸縮動作を行うことができるシャフトを提供することを目的とするものである。  
また、本発明の他の目的は、外観的にも見映えのよい外周面が丸形のシャフトを提供することである。
【課題を解決するための手段】
【０００４】
上記目的を達成するため本発明は、外観にスライド用ガイドが現れないようにした折り畳み式洋傘に用いられる複数のパイプから成る多段式の伸縮自在なシャフトであって、複数のパイプを入れ子式にスライド自在に嵌挿し、前記複数のパイプの中、前記シャフトの最も内側のパイプを除いた各パイプの内径部にその長手方向に沿ってほぼ全長にわたって凹溝を形成し、前記複数のパイプの中、前記シャフトの最も外側のパイプを除いた各パイプの後端部の外径部に凸条を設け、該各パイプの凸条を該各パイプの外側のパイプの内径部の凹溝に軸方向にスライド自在に嵌合させ、外側と内側のパイプの相対回転を阻止するようにしたものである。
また本発明は、前記凹溝及びこれに嵌合する凸条の断面形状を円弧状にしたものである。
また本発明は、前記凹溝をそれぞれパイプの円周方向に所定の間隔を存して複数本設けたものである。
また本発明は、前記各パイプの外側から見える外周面を丸く形成したものである。
【発明の効果】
【０００５】
本発明は上述の如く構成したので、シャフトの伸縮動作を外側のパイプに対する内側のパイプの回転を阻止した状態で確実且つ円滑に行うことができる。
【発明を実施するための最良の形態】
【０００６】
以下に本発明の実施の形態を添付した図面を参照して詳細に説明する。
２は、折り畳み洋傘用の伸縮自在シャフトであり、複数の互いに径が異なり且つほぼ同長のパイプを、入れ子式にスライド自在に嵌合した多段式に構成されている。一番太い第１パイプ４の内径部に、第２のパイプ６がスライド自在に嵌合し、この第２のパイプ６の内径部に最も細い第３のパイプ８がスライド自在に嵌合している。
【０００７】
前記伸縮自在なシャフト２には、折り畳み洋傘を構成するための骨格構成要素（図示省略）やその他の部品がロクロ（図示省略）を介して取り付けられる。シャフト２を構成する各パイプ４，６は、アルミニウム、鉄、真鍮その他の金属素材により構成されている。第１図乃至第３図に示すように、パイプ４，６の内径部には、それぞれ長手方向に沿って平行に且つ長手方向全長にわたって、互いに略１２０度の間隔を存して３本の凹溝１０，１２が穿設されている。前記各凹溝１０，１２の断面形状は円弧状に形成され、なめらかな曲面を有している。前記第１のパイプ４の外周面は全長に亘って丸く即ち外周の断面が円形に形成されている。
【０００８】
前記第２及び第３のパイプ６，８の外周面は、外側のパイプによって隠れる各後端部を除いて、外部から見える部分Ｋが丸く形成され、該各パイプ６，８，は、対応する外側のパイプ４，６にスライド自在に嵌挿されている。前記パイプ６，８の外周面の各後端部側即ちパイプの根本側には、図１乃至図３に示すように、各パイプ４，６の長手方向に対して平行な方向に配置された所定長さの３本の凸条１４，１６が、互いに略１２０度の間隔を存して突設されている。
【０００９】
前記各凸条１４，１６の断面形状は、前記凹溝１０，１２の断面形状と略同一の円弧状に構成されている。また、前記凹溝１０，１２の断面形の寸法と、対応する凸条１４，１６の断面形の寸法とは略同一に設定され、各凸条１４，１６が対応する外側の凹溝１０，１２にスライド自在に嵌合することができるように構成されている。前記第３のパイプ８以外のパイプ４，６は、先端を絞って、係止部Ｓが形成され、シャフト２を伸長した際、外側のパイプ４，６の係止部Ｓに、内側のパイプ６，８の後端部に固設されたストッパー１８が衝突し、内側のパイプ６，８が外側のパイプから外れないように構成されている。
【００１０】
前記外側のパイプ４，６の先端の近傍には１８０度の間隔を存してそれぞれ一対のインデックス孔１２が形成されている。また、前記内側のパイプ６，８の後端の近傍に１８０度の間隔を存してそれぞれ一対の貫通孔２２が形成されている。前記内側のパイプ６，８の内径部後端にはばね（図示省略）が屈曲配置され、これの両端に凸曲面を有する突起体（図示省略）が固着されている。前記突起体は、前記貫通孔２２に嵌合配置され、その先端凸曲面が前記貫通孔２２から所定量突出する方向に弾発されている。
【００１１】
上記した構成において、第１のパイプ４と第２のパイプ６は、第２のパイプ６の凸条１４が第１のパイプ４の内径部の凹溝１０にスライド自在に嵌合しているため、互いに、長手方向のみスライドが可能であり、第１のパイプ４に対して第２のパイプ６が相対回転する方向の移動が、凸条１４と凹溝１０の嵌合構造によって阻止される。第２のパイプ６と第３のパイプ８間の関係も上記第１のパイプ４と第２のパイプ６との関係と同様であり、互いの長手方向のスライド移動が可能であり、相対回転方向の移動が、外側のパイプの凹溝１２とこれに嵌合する内側のパイプの凸条１６によって阻止される。
【００１２】
前記シャフト２を伸長し前記外側のパイプ４，６の係止部Ｓに前記内側のパイプ６，８のストッパー１８が係止されたとき、丁度、内側のパイプ６，８の突起体が、外側のパイプ４，６の前記インデックス孔２０に嵌合し、前記内側と外側のパイプの相対的な長手方向の移動と周回転とがばねにより付勢された突起体により解除可能にロックされ、内側のパイプ６，８が対応する外側のパイプ４，６から簡単に外れたり、回転することがない。
【図面の簡単な説明】
【００１３】
【図１】本発明に係るシャフトに使用されるパイプを示し、（Ａ）は正面図、（Ｂ）は縦断面図、（Ｃ）はＡ−Ａ線断面図である。
【図２】本発明に係るシャフトの説明的正面図である。
【図３】本発明に係るシャフトのＢ−Ｂ線断面図である。
【符号の説明】
【００１４】
２      シャフト
４      パイプ
６      パイプ
８      パイプ
１０    凹溝
１２    凹溝
１４    凸条
１６    凸条
１８    ストッパー
２０    インデックス孔
２２    貫通孔
【図１】
2005237415.tif 000003
【図２】
2005237415.tif 000004
【図３】
2005237415.tif 000005